(57)【要約】【課題】十分な排水性能を得ることができ、また、床パン全体の周辺部の高低差がなくて周辺部のどの箇所からも安全に出入りでき、さらに高齢者や障害者等が足を滑らせて転倒するといった懸念もなく、また、床パン周辺部の高さを最低限に抑えることができて、従来のような床パン全体の傾斜による違和感を解消することにある。【解決手段】敷設により床面を形成する排水口付床パン１に排水口２を複数備えた構成である。また、一つの排水口２へ排水を促す所定の面積範囲を一排水単位１１としこの一排水単位１１の中央部に前記排水口２を設けた。また、一排水単位１１の面積に対し１/３〜１/５の面積の排水口蓋６を、前記排水口２の上に排水可能に被せるようにして設けた。また、各排水口２に封水手段５を設けた。さらに、各排水口２に湯水を排水経路に導く排水管２２等を設けた。【選択図】  図１
2008095432.tif 000002
【特許請求の範囲】
【請求項１】
敷設により床面を形成する排水口付床パンにおいて、排水口を複数備えることを特徴とする排水口付床パン。
【請求項２】
一つの排水口へ排水を促す所定の面積範囲を一排水単位とし、この一排水単位の中央部に前記排水口を設けたことを特徴とする請求項１記載の排水口付床パン。
【請求項３】
一排水単位の面積に対し１/３〜１/５の面積の排水口蓋を、前記排水口の上に排水可能に被せるようにして設けたことを特徴とする請求項１または２記載の排水口付床パン。
【請求項４】
各排水口に封水手段を設けたことを特徴とする請求項１、２または３記載の排水口付床パン。
【請求項５】
請求項１〜４項のいずれかに記載の排水口付床パンの各排水口に、前記各排水口から排水される湯水を排水経路に導く排水管を設けたことを特徴とする排水口付床パンの排水構造。
【請求項６】
請求項１〜４項のいずれかに記載の排水口付床パンの下方に、各排水口から排水される湯水を受水するように受水面を一方向に傾けるようにして排水パンを設け、前記排水パンの受水面の低部側には前記湯水を排出する排水孔を備えていることを特徴とする排水口付床パンの排水構造。
【発明の詳細な説明】
【技術分野】
【０００１】
本発明は、浴室ユニットやシャワールーム等の洗い場、業務用厨房等の床面を形成するのに用いる排水口付床パン及びこの排水口付床パンの排水構造に関するものである。
【背景技術】
【０００２】
従来の排水口付床パンを備えた浴室ユニットは、例えば図６に示すような構造のものが一般である。この図示の浴室ユニットは、建物の躯体１０１の床部１０２に台座１０３を介して洗い場用床パン１０４（以下、床パン１０４）と浴槽用床パン１０５とを設置し、前記床パン１０４，１０５の周辺部に壁パネル（図示せず）を立設し、壁パネルの上部に天井パネル（図示せず）を設けて浴室を形成するものである。床パン１０４の浴槽用床パン１０５との境界の中央部には、排水口１０６を備えた排水溝１０７が設けられている。また、床パン１０４で使用された湯水が排水溝１０７に自然に流れ込むように、床パン１０４全体を排水溝１０７側に傾斜させてある。（例えば特許文献１参照）
【０００３】
また、床パン１０４の排水構造としては、排水溝１０７の下方に排水口１０６に接続する排水トラップ１０８を配設し、床パン１０４で使用された湯水及び浴槽１０９から溢れ出た湯水を排水口１０６から排水トラップ１０８等を介して外部の排水経路に排出されるようにしてある。
【０００４】
前記したような浴室ユニットにおける床パン１０４は、全体に勾配があるため、上流側１１０と下流側１１１との高低差が大きく、高い側では浴室の天井までの高さが低くなり、また、床パン１０４の周囲のどの位置に出入り口のドアを設けるかによって出入り口高さが異なり、お年寄り等の入浴者が出入りする際の安全性に問題を生じる。また、床パン１０４の周囲に立設する壁パネル（図示せず）も、高さの異なるものを揃えて使用しなければならない。
【０００５】
さらに、前記床パン１０４は、排水口１０６を備えた排水溝１０７の成形部分が下方に大きく突出しているため、前記したような全体に勾配があって片側に低くなった構造と相まって、排水口１０６を備えた排水溝１０７の部分と床部１０２との隙間が狭くなり、排水トラップ１０８等の排水管を床パン１０４の下に設置する施工作業が大変であり、また、この突出した部分が邪魔になって積み重ねた際に嵩張り移送も大変であった。
【０００６】
そこで図７に示すような洗い場用の床パンが開発されていた。（特許文献２，３参照）この床パン１１２は、三方向の縁部１１３の高さを同じにして各縁部１１３から浴槽側の縁部１１４の中央部に設けた排水口１１５までそれぞれ勾配を設けて、湯水を排水口１１５に流れ込むようにしたものであり、三方向の各縁部１１３側のいずれに出入り口用のドアを設けても、出入り口の高低差は同じで安全性の点で問題はない。しかし、浴室の洗い場の広さによっては床面の広い床パン１１２(便宜上、同一符号を使用)を設置する必要があるが、この場合、縁部１１３側と排水口１１５側との高低差が大きくなり、見掛けも良くない。また、床パン１１２の長辺から排水口１１５への長さと短辺から排水口１１５への長さのいずれか長い方の勾配を、排水に最低限必要な勾配として設けているため、もう一方も同じ高低差をとるため、排水に必要な勾配より大きな勾配となってしまう。しかも床パン１１２が大きくなれば最低点である排水口１１５側と最高点である各縁部１１３の高低差が大きくなるという問題は解消されない。
【０００７】
【特許文献１】実開平２−１２３５５５号公報
【特許文献２】特開２００１−２１４４８７号公報
【特許文献３】特開２００１−２４８１９９号公報
【発明の開示】
【発明が解決しようとする課題】
【０００８】
本発明は前記のような点に鑑みて開発されたものである。その目的とするところは、十分な排水性能を得ることができ、また、床パン全体の周辺部の高低差がなくて周辺部のどの箇所からも安全に出入りでき、さらに高齢者や障害者等が足を滑らせて転倒するといった懸念もなく、また、床パン周辺部の高さを最低限に抑えることができて、従来のような床パン全体の傾斜による違和感を解消した排水口付床パン及びこの排水口付床パンの排水構造を提供することにある。
【課題を解決するための手段】
【０００９】
本発明は前記した目的を有効に達成するために、次のような構成の排水口付床パン及びこの排水口付床パンの排水構造である。すなわち、請求項１に記載の本発明は、敷設により床面を形成する排水口付床パンにおいて、排水口を複数備えることを特徴とする排水口付床パンである。
【００１０】
請求項２に記載の本発明は、一つの排水口へ排水を促す所定の面積範囲を一排水単位とし、この一排水単位の中央部に前記排水口を設けたことを特徴とする請求項１記載の排水口付床パンである。
【００１１】
請求項３に記載の本発明は、一排水単位の面積に対し１/３〜１/５の面積の排水口蓋を、前記排水口の上に排水可能に被せるようにして設けたことを特徴とする請求項１または２記載の排水口付床パンである。
【００１２】
請求項４に記載の本発明は、各排水口に封水手段を設けたことを特徴とする請求項１、２または３記載の排水口付床パンである。
【００１３】
請求項５に記載の本発明は、請求項１〜４項のいずれかに記載の排水口付床パンの各排水口に、前記各排水口から排水される湯水を排水経路に導く排水管を設けたことを特徴とする排水口付床パンの排水構造である。
【００１４】
請求項６に記載の本発明は、請求項１〜４項のいずれかに記載の排水口付床パンの下方に、各排水口から排水される湯水を受水するように受水面を一方向に傾けるようにして排水パンを設け、前記排水パンの受水面の低部側には前記湯水を排出する排水孔を備えていることを特徴とする排水口付床パンの排水構造である。
【発明の効果】
【００１５】
本発明の排水口付床パンでは、複数排水口を備えているので、床パン上で使用された湯水を各排水口から効率よく排水することができ、また、各排水口に至る排水勾配の傾斜面の長さも短くなり、結果として床パンの厚みを薄くすることができる。
【００１６】
また、本発明の排水口付床パンでは、一つの排水口へ排水を促す小さな高低差を設けた所定の面積範囲を一排水単位とし、前記排水口を一排水単位の中央部に設けたことにより、
床パンの厚みをさらに薄くすることができ、また、従来のように排水のために洗い場パン部全体を排水口まで傾斜させて高い高低差の勾配を設ける必要もなく、床面で滑ってバランスを崩すといった懸念も小さくなり、安全に床面を使用することができる。さらに、床面への出入り口を洗い場周囲のどの位置に設けても、前記したように床面の高低差が小さいため安全に出入りすることができる。
【００１７】
また、本発明の排水口付床パンでは、一排水単位の面積に対し、１/３〜１/５の面積の排水口蓋を排水口の上に設け、一排水単位に排水口が納まる部位を床面の最下点とすることにより、十分な勾配を持たせながら、床パンに発生する高低差を小さくすることができる。
【００１８】
また、本発明の排水口付床パンでは、各排水口に封水手段を設けたことにより、配水管等からの悪臭を防止することができる。
【００１９】
また、本発明の排水口付床パンの排水構造では、各排水口に連結する排水管を設けたことにより、床パンから各排水口を介して排水される湯水を円滑に外部に排出することができる。
【００２０】
また、本発明の排水口付床パンの排水構造では、床パンの下に各排水口から排水される湯水を受水する排水孔付排水パンを設けたことにより、各排水口から排水される湯水をまとめて排水することができ、各排水口に排水管を施工することもなく床パンの下の排水設備の施工も容易である。
【発明を実施するための最良の形態】
【００２１】
以下、本発明を実施するための最良の形態を図に基いて説明する。
図１〜図４は本発明に係る排水口付床パン及びこの排水口付床パンの排水構造に関する実施例の図であって、図１は排水口付床パンの平面図、図２は排水構造を備えた図１の排水口付床パンの裏面側から見た説明図、図３は排水口付床パンの排水構造を示す断面図、図４は排水口付床パンの一排水口の箇所の拡大断面図である。
【００２２】
図示の排水口付床パン１（以下、床パン１）は、敷設により床面を形成するものであって、複数の排水口２を備えている。
【００２３】
すなわち、床パン１（図１）は、繊維強化樹脂によって長方形状に形成された防水性のものであって、表面の大部分を占める床面部３と、床面部３の外周縁に段差状に形成した外周縁部４と、湯水を排水するために床面部３の６箇所に設けた排水口２と、各排水口２に設けられた封水手段５（図３、図４）と、排水口２毎に設けられる排水口蓋６とからなる。
【００２４】
なお、図示の床パン１は浴室ユニットの洗い場パン部として使用されるものであり、浴槽を設置する浴槽用床パン（図示せず）の係合縁部と係合させてこの箇所から下に水漏れしないように外周縁部４の一方の長辺部４ａ側を少し幅広に形成してある。また、外周縁部４の他の長辺部４ｂおよび短辺部４ｃには壁パネル（図示せず）を係合させて立設できるようにしてある。さらに床パン１の裏面側には複数のリブ７（図３）が設けられていて、このリブ７等を介して床パン１を設置台８ａに設置する。設置台８ａは、床パン１の裏面側から突出するように形成された各排水口２及び封水手段５の部分を嵌め込む開口部１０（図３、図４）を６箇所に設けてあり、複数のレベル調整ボルト８ｂを介して建物の躯体内の床上に設けられる。
【００２５】
床パン１（図１）の床面部３は、同じ大きさの長方形状の６つの区画に形成し、１区画を一排水単位１１としてある。各一排水単位１１の中央部には後述する封水手段５とともに形成される排水口２が設けてある。したがって図示の床パン１では、床面部３の６箇所に排水口２を設けてあることになる。また、隣接する各一排水単位１１の境目及び前記した外周縁部４の境目は他の部分より高い尾根１２となり、各尾根１２から各排水口２に向かって排水を促す下り勾配の斜面９を設けてある。これらの４つの斜面９は、排水口２に向かって湯水が流れる最小勾配に形成されている。
【００２６】
前記の各一排水単位１１の中央部に設けた排水口２及び封水手段５は、次のような構造からなる。
すなわち、床面部３（図１、図３、図４）の各排水単位１１毎に、一排水単位１１の面積に対し１/３〜１/５の面積よりも僅かに大きな長方形状の窪み部１３（図４）を設け、この窪み部１３の中央部に排水口２及び封水手段５を設けてある。窪み部１３内には、前記斜面９の端から段差１４を介して中央部方向に傾斜する斜面９ａと、この斜面９ａと段差を介して形成された中央部方向に傾斜する緩い斜面１９と、この斜面１９の端から環状に窪むように形成された凹状の水溜部１６と、円筒外周壁２０と共に水溜部１６を形成する円筒内周壁１７の上部開口に設けた排水口２と、円筒内周壁１７の上端寄りの内周部に設けた環状の係止凸部２１と、この係止凸部２１に係止して後述する排水管２２の先端部２２ａを嵌合溝２３に嵌め込んで連結するための排水管連結部材２４と、前記の係止凸部２１にフランジ部２５ａを係止するようにして円筒内周壁１７内に配されるストレーナ２５とを設けてある。
【００２７】
この実施例の封水手段５は、前記した水溜部１６と、後述する排水口蓋６の円筒部６ｂとの組み合わせからなり、前記の窪み部１３に被せるようにして設けられた排水口蓋６の円筒部６ｂを、水溜部１６の上から底部近傍まで挿入することによって内部を仕切った構造である。斜面９から流れ込む湯水は、少量であったり、連続した流れ込みが止まれば、円筒部６ｂで水溜部１６の底部側が通じるように仕切られた水溜部１６の中に一次的に溜まり、後述する排水管２２等からの悪臭の流れ込みを円筒部６ｂと水溜部１６に溜まった湯水で防止することができる。
【００２８】
各一排水単位１１の排水口２の上には、所定の隙間をもって一排水単位１１の面積に対し１/３〜 １/５の面積の排水口蓋６を被せるように設ける。また、床面部３の各排水単位７の窪み部１３の周囲の対峙する２箇所に凹部２６（図１）が設けてあり、窪み部１３に被せた排水口蓋６を外す場合に凹部２６に指等を入れて排水口蓋６を引き起こすことにより、窪み部１３から容易に排水口蓋６を外すことができる。
【００２９】
図示の例における排水口蓋６（図４）は、前記窪み部１３の平面視の大きさと略同じ大きさである長方形状の蓋部６ａと、蓋部６ａの裏面に設けて水溜部１６に挿入する円筒部６ｂと、蓋部６ａの裏面の周辺部の近傍に設けて一排水単位１１の斜面９ａに載置する複数の支持凸部６ｃと、前記円筒部６ｂの上部に設けた横断面＋状の支持部６ｄとを一体形成したものである。さらに排水口蓋６を前記した窪み部１３に設置した場合に、蓋部６ａの表面側の中央部６ｅは、各排水単位７の尾根１２と同じ高さになるように形成してある。そして蓋部６ａは、中央部６ｅから蓋部６ａの４辺の縁部６ｆに亘って同じ下り勾配の傾斜面を有している。
【００３０】
この排水口蓋６を前記した窪み部１３に設置した場合、排水口蓋６の支持部６ｄは排水口２を備えた円筒内周壁１７の上端に載置され、斜面９ａと蓋部６ａの裏面との間に支持凸部６ｃによって一定の隙間２７が空き、さらに蓋部６ａの外周縁と斜面９の段差１４との間にも湯水を流す僅かな隙間１８が生じる。
【００３１】
斜面９から窪み部１３に流れ込む湯水は、前記隙間１８から斜面９ａ、斜面１９を介して一旦水溜部１６の円筒部６ｂの外側に流れ込み、円筒部６ｂの下端と水溜部１６の底部の隙間を通り円筒部６ｂの内側へ流れ込んだ後に、水溜部１６から溢れ出て排水口蓋６の支持部６ｄの隙間から排水口２、ストレーナ２５を通って排水管２２へと排水されていく。
【００３２】
また、図示の床パン１の排水構造（図２〜図４）としては、床パン１の各排水口２に前記したようにして排水管２２を接続し、２つの一排水単位１１を１組として、同じ組の一排水単位１１の排水口２に接続した排水管２２を夫々連絡排水管２８に連結し、さらに、このようにして各組に設けた３本の連絡排水管２８を集合排水管２９に連結した構造をなしている。床面部３から排水される湯水は、各排水単位１１の封水手段５、排水口２、排水管２２、連絡排水管２８、集合排水管２９を介して浴室外の排水経路に排出される。
【００３３】
上述の本発明に係る実施例の床パン１及びこの床パン１の排水構造では、床面部３に排水口２を複数設け、その各排水口２へ周囲から排水を促す斜面９を設けることにより、従来に比べ排水勾配の最高点と最低点との高低差を小さくすることができる。
【００３４】
また、各一排水単位１１の窪み部１３と排水口蓋６との隙間から排水口２へ排水させるが、前記したように一排水単位１１に対し１／３〜１／５の面積の排水口蓋６を使用し、各排水単位７の尾根１２と排水口蓋６の中央部を最高部とし、一排水単位１１と排水口蓋６の嵌め合わせ部を最低部とすることにより、十分な勾配を持たせながら、効率よく床面部３に勾配を設けることができ、よって高低差も小さくすることができる。このことで、安全面においても入浴者が濡れた床面部３で足を滑らせてバランスを崩して倒れるといったことを極力防止することができる。
【００３５】
なお、前記した実施例では床面部３の６箇所に排水口２を設けてあるが、６箇所に限定されるものではなく、床面部３の６箇所以外の例えば４箇所や８箇所等の複数個所に排水口２を設けた床パンであってもよい。
【００３６】
図５は本発明に係る他の実施例の床パン１の排水構造を示した断面図である。なお、床パン１は前記した実施例と同様であり説明を省略する。
この実施例では各排水口２から排水される湯水を受水して排水する排水パン３０が、床パン１の裏面側の各排水口２の下に、受水面３０ａ全体を一方向に傾斜させて設けてある。また、排水パン３０の受水面３０ａの低部側の少なくとも１箇所には排水孔３１が設けてあり、排水孔３１には排水された湯水を浴室の外に導く排水管（図示せず）が連結してある。床パン１から各排水口２を介して排水される湯水は、すべて排水パン３０で受水され、排水孔３１からまとめて排水管（図示せず）を介して浴室の外の排水経路に排出される。
【００３７】
したがって、この実施例では床パン１の下に排水パン３０を設けることによって、先の実施例のように排水管２２（図２）や連絡排水管２８を設ける必要もなく施工が簡単で、設備コストや施工費を低減することができる。
【００３８】
因みに、一般に浴室ユニットにおいては、排水性能を確保するために１／５０の勾配を洗い場の床面に設けることが望ましい。一般の浴室ユニットでは、排水口を１箇所に設けた洗い場で、１８１８サイズと呼ぶ外寸１８７５×１８７５ｍｍのユニットに対し洗い場の内寸法は１０５０×１８００としている。この洗い場において、内寸法１０５０ｍｍの方向へ排水勾配を設けたときに必要な高低差は２１ｍｍとなり、また、中央部を排水勾配の始点とする排水溝構造の場合は１０ｍｍの高低差となる。
【００３９】
これに対し、本発明においては、一排水単位１１を例えば５２５×６００ｍｍの長方形とし、その中央部に設ける排水口蓋６を２６６×３００ｍｍの大きさのものとすると、排水口蓋６の中央部を始点とした場合（２６６2＋３００2）1/2／２＝２００の長さに対して４ｍｍの高低差で良く。洗い場も（５２５2＋６００2）1/2／２−（２６６2＋３００2）1/2／２＝２００の長さに対してであり、４ｍｍの高低差となる。
【図面の簡単な説明】
【００４０】
【図１】本発明に係る排水口付床パンの平面図である。
【図２】本発明に係る排水構造を備えた図１の排水口付床パンの裏面図である。
【図３】本発明に係る排水口付床パンの排水構造を示す断面図である。
【図４】排水口付床パンの一排水口の箇所の拡大断面図である。
【図５】本発明に係る他の実施例の床パンの排水構造を示した断面図である。
【図６】従来の浴室ユニットの床パンおよびこの床パンの排水構造を示す断面図である。
【図７】従来の他の例の浴室ユニットにおける洗い場用の床パンの平面図である
【符号の説明】
【００４１】
１    排水口付床パン
２    排水口
３    床面部
５    封水手段
６    排水口蓋
９    斜面
１１  一排水単位
１２  尾根
２２  排水管
２８  連絡排水管
２９  集合排水管
３０  排水パン
３１  排水孔
【図１】
2008095432.tif 000003
【図２】
2008095432.tif 000004
【図３】
2008095432.tif 000005
【図４】
2008095432.tif 000006
【図５】
2008095432.tif 000007
【図６】
2008095432.tif 000008
【図７】
2008095432.tif 000009